(57)【要約】【課題】誤送信を防止しつつ、ユーザの利便性を向上させることができる中継機及び送信システムを提供する。【解決手段】送信データ及び該送信データの送信先アドレスを複合機１０から受信し、受信した前記送信データを前記送信先アドレスへ送信し、送信履歴を記憶する中継機４０は、受信した送信データの送信先アドレスが送信履歴に記憶されていない場合、又は、受信した送信データの送信先アドレスが送信履歴に記憶されているが、送信エラーが記憶されている場合、前記送信データの送信を禁止する。【選択図】図１
2007134870.tif 000002
【特許請求の範囲】
【請求項１】
送信データ及び該送信データの送信先アドレスを受信し、受信した送信データの送信処理を行い、送信履歴を記憶する中継機において、
受信した送信データの送信先アドレス及び送信履歴に基づいて前記送信データの送信を禁止する禁止手段を備えることを特徴とする中継機。
【請求項２】
前記禁止手段は、受信した送信データの送信先アドレスが送信履歴に記憶されていない場合、又は、受信した送信データの送信先アドレスが送信履歴に記憶されているが、送信エラーが記憶されている場合、前記送信データの送信を禁止するように構成してあることを特徴とする請求項１記載の中継機。
【請求項３】
請求項１又は２に記載する中継機と、
該中継機へ送信データ及び該送信データの送信先アドレスを送信する送信装置と
を備えることを特徴とする送信システム。
【発明の詳細な説明】
【技術分野】
【０００１】
本発明は、送信データ及び該送信データの送信先アドレスを受信し、受信した送信データの送信処理を行い、送信履歴を記憶する中継機及び該中継機を備える送信システムに関する。
【背景技術】
【０００２】
ＦＡＸ機（ファクシミリ機）又は複合機などでＦＡＸ送信を行う場合、送信先ファクス電話番号（送信先アドレス）の入力を間違えて、誤送信することがある。送信先ファクス電話番号の誤入力を防止する方法としては、例えば送信先ファクス電話番号とパスワードとを中継機へ送信し、送信先ファクス電話番号が中継機に登録され、かつ、パスワードが一致した場合に、画像を受信して送信先へ画像送信する方法が提案されている（特許文献１参照）。
【特許文献１】特開２００５−１３６７６３号公報
【発明の開示】
【発明が解決しようとする課題】
【０００３】
上述した中継機を用いた場合、中継機が一括して送信先ファクス電話番号をチェックするため、誤送信を防止することができる。また、ユーザは、中継機を特に意識することなく、操作については通常のＦＡＸ送信のままで、通信の確実性を向上させることができる。しかし、登録されていない送信先ファクス電話番号は全く使用できず、送信先ファクス電話番号を必ず登録しておく必要があるため、登録の手間が生じ、ユーザの利便性が低いという問題がある。
【０００４】
本発明は斯かる事情に鑑みてなされたものであり、受信した送信データの送信先アドレス及び送信履歴に基づいて前記送信データの送信を禁止する禁止手段を備えることにより、送信履歴に基づいて送信を許可又は禁止して誤送信を防止しつつ、ユーザの利便性を向上させることができる中継機及び送信システムを提供することを目的とする。
【０００５】
また、本発明は、受信した送信データの送信先アドレスが送信履歴に記憶されていない場合、又は、受信した送信データの送信先アドレスが送信履歴に記憶されているが、送信エラーが記憶されている場合、前記送信データの送信を禁止するように前記禁止手段を構成することにより、未確認の送信先アドレス又は過去に問題が生じた送信先アドレスへの送信を防止することができる中継機を提供することを他の目的とする。
【課題を解決するための手段】
【０００６】
第１発明に係る中継機は、送信データ及び該送信データの送信先アドレスを受信し、受信した送信データの送信処理を行い、送信履歴を記憶する中継機において、受信した送信データの送信先アドレス及び送信履歴に基づいて前記送信データの送信を禁止する禁止手段を備えることを特徴とする。
【０００７】
第２発明に係る中継機は、第１発明において、前記禁止手段は、受信した送信データの送信先アドレスが送信履歴に記憶されていない場合、又は、受信した送信データの送信先アドレスが送信履歴に記憶されているが、送信エラーが記憶されている場合、前記送信データの送信を禁止するように構成してあることを特徴とする。
【０００８】
第３発明に係る送信システムは、第１又は第２発明の中継機と、該中継機へ送信データ及び該送信データの送信先アドレスを送信する送信装置とを備えることを特徴とする。
【０００９】
第１、第３発明においては、受信した送信データの送信先アドレス及び送信履歴に基づいて禁止手段が前記送信データの送信を禁止するため、例えば送信先アドレスが未登録の場合であっても、送信履歴に記憶されており、かつ、送信エラーなどの問題事項が存在しない場合は送信を許可するなど、誤送信を防止しつつ、ユーザの利便性を向上させることができる。
【００１０】
第２、第３発明においては、受信した送信データの送信先アドレスが送信履歴に記憶されていない場合、又は、受信した送信データの送信先アドレスが送信履歴に記憶されているが、送信エラーが記憶されている場合、前記禁止手段が前記送信データの送信を禁止するため、未確認の送信先アドレス又は過去に問題が生じた送信先アドレスへの送信を禁止し、誤送信を防止することができる。
【発明の効果】
【００１１】
第１、第３発明によれば、未登録の送信先アドレスであっても、送信履歴に基づいて送信を許可又は禁止して誤送信を防止しつつ、ユーザの利便性を向上させることができる。
【００１２】
第２、第３発明によれば、未確認の送信先アドレス又は過去に問題が生じた送信先アドレスへの送信を禁止し、誤送信を防止することができる。
【発明を実施するための最良の形態】
【００１３】
以下、本発明をその実施の形態を示す図面に基づいて具体的に説明する。本実施の形態では、中継機に送信データ及び送信先アドレスを送信する送信装置として、ファクシミリ，イメージスキャナ及びプリンタの機能を有する複合機を例にして説明を行う。
【００１４】
図１は本発明に係る送信システムの例を示すブロック図であり、図２は送信システムの複合機（送信装置）の構成例を示すブロック図であり、図３は送信システムの中継機の構成例を示すブロック図である。図１に示すように、電話回線網３２に中継機４０と、複合機１０（図の例では３台）とが接続されている。
【００１５】
図２に示すように、複合機１０は、主制御部１１、表示部１２、操作部１３、読取部１４、記録部１５、コーデック１６、変換部１７、モデム１８、ＮＣＵ（Network Control Unit）１９、画像メモリ２１、ＲＯＭ２２、ＲＡＭ２３及び蓄積部２４を備え、夫々バス２９に接続されている。複合機１０の前記各部１２〜２４はＣＰＵなどの主制御部１１によって制御される。
【００１６】
表示部１２は、ＬＣＤ（液晶表示装置）などの表示装置であり、主制御部１１の制御によって、複合機１０の動作状態の表示などを行う。操作部１３は、複合機１０に対する操作入力を受付ける装置であり、スタートキー、ストップキー、テンキー、短縮ダイヤルキー及びファンクションキー等の各種キーを備える。なお、タッチパネル方式の表示部１２を用いることにより、操作部１３の各種キーの一部又は全部を代用することも可能である。
【００１７】
モデム１８は、ファクシミリ通信が可能なファクスモデムであり、バス２９及びＮＣＵ１９と接続されている。ＮＣＵ１９は、電話回線網３２と接続されており、必要に応じて中継機４０又は他の装置（電話回線網３２に接続されている他のファクシミリ機など）と接続し、中継機４０又は他の装置との間でＦＡＸ送受信データなどのデータ送受信を行う。
【００１８】
ＲＯＭ２２は、主制御部１１が実行する種々のプログラム及びデータなどを格納しており、主制御部１１は、ＲＯＭ２２に格納されたプログラムを実行して複合機１０各部の制御を行う。ＲＡＭ２３は、ＳＲＡＭ又はフラッシュメモリ等で構成され、主制御部１１がプログラムを実行する際に使用する一時的なデータ又は各種設定データ等を記憶する。ＲＡＭ２３をフラッシュメモリで構成した場合、複合機１０の各種設定データなどを電源切断時も保持できる。
【００１９】
読取部１４は、例えばＣＣＤ（Charge Coupled Device）を備えたイメージスキャナであり、原稿を読取って画像データを出力する。画像メモリ２１は、ＤＲＡＭ等で構成され、読取部１４が読取った原稿の画像データを記憶する。また、画像メモリ２１は、ＮＣＵ１９が中継機４０から受信した画像データを記憶する。また、画像メモリ２１に記憶された画像データを、ＮＣＵ１９から中継機４０へ送信することも可能である。記録部１５は、電子写真方式のプリンタであり、画像メモリ２１に記憶された画像データに基づく画像を記録紙に記録する。
【００２０】
コーデック１６は、ファクシミリ送信する画像データの符号化及びファクシミリ受信した画像データの復号などの符号化及び復号を行う。変換部１７は、ファクシミリ送信を行う画像データ形式から電子メール形式への変換及び電子メール形式からファクシミリ受信する画像データ形式への変換などのデータ変換を行う。
【００２１】
蓄積部２４は、読取部１４で読取った画像データ又はＦＡＸ受信した画像データなどを蓄積する。例えば画像メモリ２１に記憶された画像データが、主制御部１１の制御によって、蓄積部２４に蓄積される。蓄積部２４として、フラッシュメモリ又はハードディスク装置を用いることが可能である。
【００２２】
複合機１０は、ＦＡＸ送信を行う場合、通常は中継機４０に送信するように設定されている。中継機４０に送信せずに直接送信先に送信する場合は、ユーザが操作部１３を操作して設定を変更する。また、中継機４０に送信する場合、主制御部１１の制御により、送信先ファクス電話番号（送信先アドレス）を含むＮＳＳ（ノン・スタンダード・シグナル）と、送信データ（画像データ）とを中継機４０に送信する。
【００２３】
図３に示すように、中継機４０は、複合機１０とほぼ同様に、主制御部４１、表示部４２、操作部４３、モデム４８、ＮＣＵ４９、画像メモリ５１、ＲＯＭ５２、ＲＡＭ５３、蓄積部５４を備え、夫々バス５９に接続されている。ここで、中継機４０の各構成部４１〜５４の基本動作は複合機１０とほぼ同様である。また、中継機４０は、複合機１０と同様の読取部、記録部、コーデック、及び変換部を備えていてもよい。
【００２４】
中継機４０は、主制御部４１の制御により、複合機１０から受付けた送信データ及びＮＳＳを画像メモリ５１に一旦記憶し、ＮＳＳに含まれる送信先ファクス電話番号に基づいて送信データの送信処理を行い、蓄積部５４に記憶されている送信履歴に送信結果を追加（記憶）する。
【００２５】
また、送信を許可する送信先ファクス電話番号の登録情報が蓄積部５４に記憶されている。主制御部（禁止手段）４１は、受信した送信データの送信先ファクス電話番号、送信履歴、及び登録情報に基づいて前記送信データの送信を禁止する。より詳しくは、主制御部４１は、受信した送信データの送信先ファクス電話番号が登録情報に登録されている場合、前記送信データの送信を許可する。また、主制御部４１は、登録情報に登録されていない場合、送信履歴に記憶されていないとき、又は、受信した送信データの送信先ファクス電話番号が送信履歴に記憶されているが、送信エラーが記憶されているとき、前記送信データの送信を禁止する。
【００２６】
図４は複合機１０から中継機４０へのデータ送信の例を示すフローチャートである。原稿のセットを検出し（Ｓ１０）、送信先ファクス電話番号の入力を受付け（Ｓ１２）、スタートキーの押下を検出（Ｓ１４）した主制御部１１は読取部１４を制御して原稿のスキャンを行う（Ｓ１６）。スキャンされた送信データ（スキャン画像）は、画像メモリ２１に一旦記憶される。また、主制御部１１により、送信先ファクス電話番号を含むＮＳＳが作成され、ＲＡＭ２３に記憶される。その後、主制御部１１がモデム１８及びＮＣＵ１９を制御して、送信データ及びＮＳＳを中継機４０に送信する（Ｓ１８）。
【００２７】
図５は複合機から中継機へ送信された送信データ及びＮＳＳの処理の例を示すフローチャートである。中継機４０が複合機１０から受信（Ｓ３０）した送信データ及びＮＳＳは、主制御部４１の制御によって一旦画像メモリ５１に記憶され、ＮＳＳに送信先ファクス電話番号が含まれていない場合（Ｓ３２：ＮＯ）、主制御部４１により、通常の処理が行われる（Ｓ４８）。
【００２８】
ＮＳＳに送信先ファクス電話番号が含まれている場合（Ｓ３２：ＹＥＳ）、主制御部４１は、登録情報を参照し、送信先ファクス電話番号が登録済みの場合（Ｓ３４：ＹＥＳ）、モデム４８及びＮＣＵ４９を制御して、受信した送信データを送信先ファクス電話番号に転送する（Ｓ４０）。送信先ファクス電話番号が登録済みでない場合（Ｓ３４：ＮＯ）、主制御部４１は、送信履歴を参照し、送信先ファクス電話番号が送信履歴にあり（Ｓ３６：ＹＥＳ）かつ送信エラーなどの問題が過去にない場合（Ｓ３８：ＮＯ）、モデム４８及びＮＣＵ４９を制御して、受信した送信データを送信先ファクス電話番号に転送し（Ｓ４０）、送信履歴を更新する。
【００２９】
送信先ファクス電話番号が送信履歴にない場合（Ｓ３６：ＮＯ）又は送信エラーなどの問題が過去にある場合（Ｓ３８：ＹＥＳ）、主制御部４１は、受信した送信データを蓄積部５４に保存し（Ｓ４２）、送信履歴の更新を行い（Ｓ４４）、送信元の複合機へ未送信の通知を行う（Ｓ４６）。
【００３０】
登録情報に登録されていない送信先ファクス電話番号であっても、送信履歴に基づいて送信を行うため、ユーザの利便性が向上する。しかも、送信履歴に記憶されていない送信先ファクス電話番号及び送信エラーなどの問題が記憶されている送信先ファクス電話番号には送信を行わないため、誤送信も防止することができる。
【００３１】
上述した実施の形態においては、中継機４０と複合機１０とを電話回線網３２を介して接続しているが、例えば中継機４０に内線接続用のモデムを追加し、複合機１０と中継機４０とを内線接続したり、例えば中継機４０及び複合機１０に専用線接続用のネットワークカードなどを装着して両者を専用線接続することも可能である。また、上述した実施の形態においては、ＦＡＸ送信を例にして説明したが、例えば電子メールの送信機能を備える場合は、電子メールの送信先アドレスに対しても同様に処理することが可能である。
【図面の簡単な説明】
【００３２】
【図１】本発明に係る送信システムの例を示すブロック図である。
【図２】複合機の構成例を示すブロック図である。
【図３】中継機の構成例を示すブロック図である。
【図４】複合機から中継機へのデータ送信の例を示すフローチャートである。
【図５】複合機から中継機へ送信された送信データ及びＮＳＳの処理の例を示すフローチャートである。
【符号の説明】
【００３３】
１０  複合機
１１、４１  主制御部
１８、４８  モデム
１９、４９  ＮＣＵ
２１、５１  画像メモリ
２３、５３  ＲＡＭ
２４、５４  蓄積部
３２  電話回線網
４０  中継機
【図１】
2007134870.tif 000003
【図２】
2007134870.tif 000004
【図３】
2007134870.tif 000005
【図４】
2007134870.tif 000006
【図５】
2007134870.tif 000007